(57)【要約】      （修正有）【課題】収穫した野菜を載せた舟をスロープに載せてトラック荷台上にウインチで巻き上げることで、収穫した野菜を載せた舟をトラック荷台上に容易に積載可能とする。【解決手段】収穫物を集めて積載した舟に付けたロープを巻き上げるキャプスタンから排出されるロープ９を巻き取るリール３とそのリールの回転軸には滑らせて巻き取り速度を一定にするように機能するスリップリングを設けてリールに巻き取られるロープを巻き上げる速度を一定に維持して、そのリールに巻き取られるロープ９を巻き上げるキャプスタンを駆動するモーターを舟を積載する架台１に設けて、該架台を運搬用トラックの荷台に設置し、架台の端部にスロープの上部を掛けて下部を接地してスロープ上に舟を滑らせてその舟を積載する架台１上に引き上げるスロープと、ロープを支える支柱５を架台に構成されるものである積み込みウインチ。【選択図】図１
0003134013.tif 000002
【実用新案登録請求の範囲】
【請求項１】
収穫物を集めて積載した舟に付けたロープを巻き上げるキャプスタンと、キャプスタンから排出されるロープを巻き取るリールとそのリールの回転軸には巻き取り速度を一定にするスリップリングと、そのロープを巻き上げるキャプスタンを駆動して巻き取りリールを回転するモーターとを舟を積載する架台に設けて、該架台を運搬用トラックの荷台に設置し、架台の端部にスロープの上部を掛けて下部を接地してスロープ上に舟を滑らせて舟を積載する架台上に引き上げるスロープと、ロープを支える支柱を架台に構成されるものであることを特徴とする積み込みウインチ。
【請求項２】
請求項１に記載の前記架台の端部にスロープの上部を掛けて下部を接地してスロープ上に舟を滑らせて舟を積載する架台上に引き上げるスロープには、スロープ上を舟が滑りやすくローラーと逆に滑るのを防止するストッパーを構成されるものであることを特徴とする積み込みウインチ。
【考案の詳細な説明】
【技術分野】
【０００１】
本考案は、舟を積載する架台に一端部を掛けて他方を接地させたスロープ上に収穫物を載せた舟をウインチでロープを巻き取ってトラックの荷台上に載せるために使用するものであって、野菜収穫物を載せた舟の場合、トラック荷台に設置した架台に舟の積み込みが容易なウインチに関するものである。
【背景技術】
【０００２】
従来リールを巻き取ることは、ウインチに限らず、油圧モーターやトルクモーターでもロープを巻き取るリールの回転を調整できる。
本考案の場合は、キャプスタン付きウインチに、巻き取りリールがついているものであって、巻き取りリールの回転を逃がすためにリール回転軸にスリップリングを設けてリールに巻き取られるロープを巻き上げる速度を一定に維持してある。
【０００３】
従来レンコン田においては路上に置かれたトラックまでの集荷方法は、人力でレンコン田の中の収穫物を舟に載せて引っ張っていた。その場合は、一人で一つの舟を引っ張ることができるだけであったために、効率的な集荷作業を行うことがでず障害となってきた。これを三つの舟を連ねて引っ張る場合には、巻取りウインチで引っ張っていたので、舟がトラックに近い位置まで近づいてくると巻き取りのスピードが上がることになるので集荷作業は安全とは言えなかった。舟はクレーンでトラックの荷台に吊り上げて積載していたが、田の畦道は狭いからクレーンの設置場所にも困っていた。又クレーンを使用する為には、一定のクレーンの講習の受講が義務でけられた免許を取得する必要があった。  
【０００４】
巻き取りウインチで田の中に在る舟を連ねて引っ張る場合には、ロープをドラムに巻き取って近くまで舟が近づいてくるとロープが巻かれるので巻き取り速度が速くなる欠点があったので、農作業者は安全に集荷作業をする上で危険であるなどの問題があった。
【０００５】
この改善策として、特許文献１のようにキャプスタンでロープを巻き取って、キャプスタンから排出されるロープを巻き取りリールに巻き取る装置が開発されている。本考案は、キャプスタン付きのウインチを使って、集荷物を積載した舟を引っ張り上げる方法で、安全に一定のスピードを維持して舟を連ねて引っ張って、大きな作業機械であるクレーンに頼らずに軽トラックの荷台に設置した架台に掛けたスロープ上に舟を滑らせて架台上へ引っ張り上げて積載できるようにしたものである。
【特許文献１】特許第２９１６７５８号公報
【特許文献２】特許第３０４９５４９号公報
【考案の開示】
【考案が解決しようとする課題】
【０００６】
解決しようとする問題点は、収穫した野菜を積載した舟を人力で引っ張ってトラック荷台に引き上げる作業においては、舟を複数連ねて人力だけで引っ張る力が出せないために従来達成できなかった、キャプスタンでロープを巻き上げて排出されるロープを巻き取りリール付きウインチを使って、安全に集荷物を軽トラック荷台に積み込む作業の高能率化を達成しようとするものである。
【課題を解決するための手段】
【０００７】
本考案は、収穫物を集めて積載した舟に付けたロープをキャプスタンで巻き取って、排出されるロープを巻き取るリールとモーターにラチェットギヤーを介してスリップリングを介して巻き取りリールを回転し、そのリールの回転軸には巻き取り速度を一定にするためのスリップリングを設けてリールの回転を滑らせて巻き取られるロープを巻き上げる速度を一定に維持して、キャプスタンを駆動し並びにラチェットギヤーを介して巻取りリールを回転するモーターを舟を積載する架台に設けて、該架台を運搬用トラックの荷台に設置し、架台の端部にスロープの上部を掛けて下部を接地してスロープ上に舟を滑らせてその舟を積載する架台上に引き上げるスロープと、ロープを支える支柱を架台に構成されるものであることを最も主要な特徴とする。
【０００８】
積み込みウインチは、収穫物を集めて積載した舟に付けたロープを巻き上げるキャプスタンと、キャプスタンから排出されるロープを巻き取るリールとそのリールの回転軸には巻き取り速度を一定にするスリップリングと、そのロープを巻き上げるキャプスタンを駆動して巻き取りリールを回転するモーターとを舟を積載する架台に設けてあると共に該架台を運搬用トラックの荷台に設置し、架台の端部にスロープの上部を掛けて下部を接地してスロープ上に舟を滑らせて舟を積載する架台上に引き上げるスロープと、ロープを支える支柱を架台に構成されるものである。
【考案の効果】
【０００９】
本考案の積み込みウインチは、収穫物を積載した舟を引っ張るロープをキャプスタンで巻き上げるため、舟が近くに寄ってきてもスピードが上がらず一定の速度に維持できるため、安全に収穫物を積載した舟を架台上に引っ張りあげることができるという利点がある。逆転の場合には、ラチェットギヤーは空転りして、リールはキャプスタンに引っ張られた分だけ回転する。
【考案を実施するための最良の形態】
【００１０】
巻き取りリールはリールの回転を逃すためのスリップリングを設けてリールを回転さして、キャプスタンで巻き上げたロープの巻き取り速度を調整して一定の速度で巻き取ることができるためロープの巻きすぎやたるみを生じることなく、キャプスタンの巻き取り速度に合わせて巻き上げたロープをリールに巻き取ることができるので、巻き取り速度を一定に維持して、ロープの弛みやロープの巻きすぎを防止して安全に集荷物の舟を連ねてスロープ上に滑らせて引上げ軽トラック荷台に設置した架台上に並べて積載することを実現した。
【実施例１】
【００１１】
図１は、本考案装置の１実施例の正面図であって、図２は積み込みウインチの側面図、図３は積み込みウインチの側面図、図４は積み込みウインチのウインチ側装置の側面図、図５は積み込みウインチの駆動部の背面図、図６は積み込みウインチの収穫物積載用の舟の側面図、図７は積み込みウインチの収穫物積載用の舟の正面図である。
１は    架台、  ２は    モーター、  ３は    巻き取りリール、  ４は    キャプスタン、  ５は    支柱、  ６は    ガイドローラ、  ７は    スロープ、  ８は    ストッパー、  ９は    ロープ、  １０は  ローラー、１１は    舟である。
【００１２】
本考案に係る積み込みウインチは、収穫物を集めて積載した舟１１に付けたロープ９をキャプスタンで巻き取って排出されるロープを巻き取るリール３とそのリールの回転軸には滑らせて巻き取り速度を一定にするためのスリップリングを設けてリール３に巻き取られるロープ９を巻き上げる速度を一定に維持して、そのロープ９を巻き上げるキャプスタン４を駆動するモーター２を舟１１を積載する架台１に設けて、該架台１を運搬用トラックの荷台に設置し、架台１の端部にスロープ７の上部を掛けて下部を接地してスロープ上に舟１１を滑らせて舟を積載する架台１上に引き上げるスロープと、ロープ９を支える支柱５を架台１に構成されるものであることを特徴とする。
【００１３】
前記架台１の端部にスロープ７の上部を掛けて下部を接地してスロープ７上に舟１１を滑らせて舟を積載する架台１上に引き上げるスロープ７には、スロープ上を舟が滑りやすくローラー１０と舟１１が逆に滑るのを防止するストッパー８を設ける。舟１１に付けたロープ９は、ガイドローラ６により、キャプスタン４により巻き上げられてリール３に整然と巻き取られる。逆転の場合には、ラチェットギヤーは空転するのでロープ９がキャプスタン４に引っ張られた分だけリール３は回転することになる。
【００１４】
本考案は、スリップリング付の巻き上げリールを備えたウインチを使用しているので巻き取りリールにロープの巻取りが一定の速度で巻き取られるようにしたものであり、収穫物を積載した舟を引っ張るロープをキャプスタンで巻き上げるため、舟が近くに寄ってきても巻き上げスピードが上がらず舟の移動を一定の速度に維持できるため、安全に収穫物を積載した舟を架台上に引っ張りあげる効果がある。
【産業上の利用可能性】
【００１５】
本考案は、架台に設けられたキャプスタン付のウインチとトラック荷台に設置した架台と架台に掛けられて設置したスロープから構成されているが、その積み込みウインチにはキャプスタンから排出されるロープを巻き取るリールが付けてあり、キャプスタンで巻き上げたロープを一定の速度でリールに巻き取る装置である。巻き取りリールは、リールの回転を逃がすためにスリップリングが付いてリールの回転を逃がしている。巻き取りリール付きウインチのキャプスタンでロープを巻き取り、架台上に集荷物を積載した舟を３舟連ねて引き上げることもできるため、農作物をトラック荷台に設置した架台上に効率的に積載することができる。本考案装置は、レンコン田から集荷したレンコンを積載した舟を軽トラック荷台に積載する際に、農道上に広く場所を取らずに安全に舟を架台上に積載できるほか、釣り舟を引き上げて積載する場合にも利用することができる。
【図面の簡単な説明】
【００１６】
【図１】積み込みウインチの実施方法を示した装置正面の説明図である。（実施例１）
【図２】積み込みウインチの実施方法を示した装置側面の説明図である。（実施例１の部分）
【図３】積み込みウインチの実施方法を示した装置側面の説明図である。（実施例１の部分）
【図４】積み込みウインチの実施方法を示したウインチ側装置の側面の説明図である。（実施例１）
【図５】積み込みウインチの実施方法を示した背面の駆動部の説明図である。（実施例１）
【図６】積み込みウインチの実施方法を示した収穫物積載用の舟を滑らせるスロープの正面を示した説明図である。（実施例１）
【図７】積み込みウインチの実施方法を示した収穫物積載用の舟の側面の説明図である。（実施例１）
【図８】積み込みウインチの実施方法を示した収穫物積載用の舟の正面の説明図である。（実施例１）
【符号の説明】
【００１７】
１    架台
２    モーター
３    リール
４    キャプスタン
５    支柱
６    ガイドローラ
７    スロープ
８    ストッパー
９    ロープ
１０  ローラー
１１    舟
【図１】
0003134013.tif 000003
【図２】
0003134013.tif 000004
【図３】
0003134013.tif 000005
【図４】
0003134013.tif 000006
【図５】
0003134013.tif 000007
【図６】
0003134013.tif 000008
【図７】
0003134013.tif 000009
【図８】
0003134013.tif 000010